(57)【特許請求の範囲】
【請求項１】
電話回線網端子と電話端子との間に介装され、電話がオフフックされた際に電話回線網端子と電話端子を通じて形成される閉ループに流れる閉ループ電流に重畳された過大なノイズ電圧とこれに基づくノイズ電流をバイパスするノイズ吸収手段と、互いに直列に接続された上で、前記ノイズ吸収手段と並列に接続された分圧抵抗及び分流抵抗と、前記分圧抵抗と直列に且つ前記分流抵抗と並列に接続され、電話のオフフックにより前記閉ループ電流が流れることによって点灯して光信号として送信する発光ダイオードと外部機器に接続され当該発光ダイオードからの光信号を受信し光電変換したオフフック検知信号を当該外部機器に伝達するフォトトランジスタとを有するオフフック検知手段とを備えるオフフック検出回路であって、
前記分圧抵抗は、前記閉ループ電流が流れることによって電話回線網端子と電話端子との間に発生する電圧を分圧し、
前記分流抵抗が、前記分圧抵抗を通じて流れる電流のうち前記発光ダイオードの耐電流以上の電流を分流する
ことを特徴とするオフフック検出回路。
【請求項２】
電話回線網端子と電話端子との間に介装され設置先の電話が使用されているオフフック状態を検知し当該オフフック状態を検出していない時に電話回線網に接続されている管理センタにアクセスすると共に、当該管理センタとデータの送受信を行う自動通報装置であって、
請求項１記載のオフフック検出回路を内蔵し、前記オフフック検出回路がオフフック検知信号を出力していないことに応じて前記管理センタとデータの送受信を行うするように構成されている
ことを特徴とする自動通報装置。
【発明の詳細な説明】
【０００１】
【発明の属する技術分野】
本発明は、電話のオフフック状態を検知する装置に関し、特に、電話のオフフック時に管理センタと通信可能状態となり設置側で収集した管理データを電話回線網を介して管理センタに送信する自動通報装置に内蔵されるオフフック検出回路に関する。
【０００２】
また、通信機能を備えた管理装置に関し、特に、電話のオフフック時に管理センタと通信可能状態となり設置側で収集した管理データを電話回線網を介して管理センタに送信する自動通報装置に関する。
【０００３】
【従来の技術】
従来この種のオフフック検出回路及び自動通報装置としては、例えば、図３に示すようなものがある。
【０００４】
すなわち、オフフック検出回路Ａは、フォトカップラＰＣ、電解コンデンサＣ、分流抵抗Ｒ1、分圧抵抗Ｒ2、バリスタＺＮＲを中心にして構成されていた。
【０００５】
フォトカップラＰＣは、電話回線網端子Ｌ1，Ｌ2と電話端子Ｔ1，Ｔ2との間に介装され、電話ＴＥＬのオフフック状態（ユーザが電話ＴＥＬを使用している状態）を検知してオフフック検知状態を光電変換して光信号として送信する発光ダイオード（耐電流が１５０ｍＡ程度のものが用いられることが一般的であった）と、自動通報装置（図示せず）に接続され、発光ダイオードからの光信号を受信し光電変換したオフフック検知信号を自動通報装置に伝達するフォトトランジスタとを有していた。
【０００６】
分流抵抗Ｒ1は、電話回線網端子Ｌ1，Ｌ2と電話端子Ｔ1，Ｔ2との間に介装され、電話回線網に混入してきたノイズ電流をバイパスしノイズ電流がフォトカップラＰＣの発光ダイオードに伝達されて発光ダイオードが破壊されることを回避するために発光ダイオードと並列に設けられていた。
【０００７】
分圧抵抗Ｒ2は、発光ダイオードと直列に設けられ、発光ダイオードに過大なノイズ電圧が印加されて発光ダイオードが破壊されることを回避するためにノイズ電圧を分圧する機能を有していた。
【０００８】
バリスタＺＮＲは、発光ダイオード及び分流抵抗Ｒ1と並列に設けられ、発光ダイオードに過大なノイズ電圧が印加されて発光ダイオードが破壊されることを回避するためにノイズ電圧をバイパスしていた。
【０００９】
電解コンデンサＣは、バリスタＺＮＲでは除去が難しいような高周波の過大なノイズ電圧をバイパスして発光ダイオードが破壊されることを回避する機能を有していた。
【００１０】
一方自動通報装置は、電話回線網端子Ｌ1，Ｌ2と電話端子Ｔ1，Ｔ2との間に介装され、設置先（ユーザ）の電話が使用されていないオンフック状態を検知し、オンフック時に電話回線網に接続されている管理センタ（図示せず）にアクセスすると共に、ガス、水道、電気等の使用状況を検知してその検知データを管理センタに電話回線網を介して報告し、また、ガス漏れ、水漏れまたは漏電等のセキュリティ管理データを収集して管理センタに電話回線網を介して報告する機能を有していた。
【００１１】
このような自動通報装置は、各々個別の電話に接続された状態で、電話回線網端子に対して多連接続されて用いられることも可能であった。
【００１２】
【発明が解決しようとする課題】
しかしながら、このような従来のオフフック検出回路Ａ及びこれを用いた自動通報装置では、１５０ｍＡ程度の耐電流しかないフォトカップラＰＣを用いていたため、電話回線網に混入してきたノイズ電流をバイパスしノイズ電流がフォトカップラＰＣの発光ダイオードに伝達されて発光ダイオードが破壊されることを回避する分流抵抗Ｒ1の抵抗値や、発光ダイオードに過大なノイズ電圧が印加されて発光ダイオードが破壊されることを回避するためにノイズ電圧を分圧する分圧抵抗Ｒ2の抵抗値を大きくする必要があった。
【００１３】
このように分流抵抗Ｒ1の抵抗値や分圧抵抗Ｒ2の抵抗値を大きくして多連接続を行おうとした場合、電話回線網端子Ｌ1，Ｌ2と電話端子Ｔ1，Ｔ2との間のループ抵抗値がＮＴＴの規格によって制限されているため、多連接続できる自動通報装置の台数が少なくなってしまう可能性があるという問題点があった。
【００１４】
本発明は、このような従来の問題点を解決することを課題としており、第１に、電話回線網端子と電話端子との間に介装され電話のオフフック状態を検知してオフフック検知状態を光電変換して光信号として送信する発光ダイオードと外部機器に接続され発光ダイオードからの光信号を受信し光電変換したオフフック検知信号を外部機器に伝達するフォトトランジスタとを有するオフフック検知手段（フォトダイオード）と、電話回線網端子と電話端子との間に介装され電話回線網に混入してきたノイズ電流（またはサージ電流）をバイパスしノイズ電流（またはサージ電流）が発光ダイオードに伝達されて発光ダイオードが破壊されることを回避するために発光ダイオードと並列に設けられた分流抵抗と発光ダイオードに過大なノイズ電圧が印加されて発光ダイオードが破壊されることを回避するためにノイズ電圧をバイパスするために発光ダイオードと並列に設けられたツェナーダイオード（またはバリスタ）と発光ダイオードに過大なノイズ電圧が印加されて発光ダイオードが破壊されることを回避するためにノイズ電圧を分圧するために発光ダイオードと直列に設けられた分圧抵抗とを備えたノイズ吸収手段とを有し、発光ダイオードのノイズ電流（またはサージ電流）耐性のマージンを大きく設定すると共に、ノイズ電流（またはサージ電流）許容マージンの増大に応じて分流抵抗の抵抗値を小さく設定することにより、電話回線網に混入してきたノイズ電流（またはサージ電流）をバイパスしノイズ電流（またはサージ電流）がフォトカップラの発光ダイオードに伝達されて発光ダイオードが破壊されることを回避する分流抵抗の抵抗値や、発光ダイオードに過大なノイズ電圧（またはサージ電圧）が印加されて発光ダイオードが破壊されることを回避するためにノイズ電圧（またはサージ電圧）を分圧する分圧抵抗の抵抗値の低減化を図り、多連接続を行おうとした場合に電話回線網端子と電話端子との間のループ抵抗値の低減化を図り、その結果、ＮＴＴの規格による制限範囲内であっても、従来よりも多くの台数の自動通報装置を多連接続できるようにすることを課題としている。
【００１５】
第２に、電話回線網端子と電話端子との間に介装され設置先の電話が使用されていないオンフック状態を検知しオンフック時に電話回線網に接続されている管理センタにアクセスすると共に、管理センタとデータの送受信を行う自動通報装置であって、オフフック検出回路を各々内蔵し、電話回線網端子に対して多連接続が可能であると共に、各々個別の電話に接続可能なような装置構成とすることにより、電話回線網に混入してきたノイズ電流（またはサージ電流）をバイパスしノイズ電流（またはサージ電流）がフォトカップラの発光ダイオードに伝達されて発光ダイオードが破壊されることを回避する分流抵抗の抵抗値や、発光ダイオードに過大なノイズ電圧（またはサージ電圧）が印加されて発光ダイオードが破壊されることを回避するためにノイズ電圧（またはサージ電圧）を分圧する分圧抵抗の抵抗値の低減化を図り、多連接続を行おうとした場合に電話回線網端子と電話端子との間のループ抵抗値の低減化を図り、その結果、ＮＴＴの規格による制限範囲内であっても、従来よりも多くの台数の自動通報装置を多連接続できるようにすることを課題としている。
【００１６】
【課題を解決するための手段】
請求項１に記載の発明は、電話回線網端子Ｌ1，Ｌ2と電話端子Ｔ1，Ｔ2との間に介装され、電話ＴＥＬがオフフックされた際に電話回線網端子Ｌ1，Ｌ2と電話端子Ｔ1，Ｔ2を通じて形成される閉ループに流れる閉ループ電流に重畳された過大なノイズ電圧が印加されて発光ダイオード１２2が破壊されることを回避するためにノイズ電圧とこれに基づくノイズ電流をバイパスするツェナーダイオード１４2からなるノイズ吸収手段１４と、互いに直列に接続された上で、前記ノイズ吸収手段と並列に接続された分圧抵抗Ｒ２及び分流抵抗Ｒ1と、前記分圧抵抗と直列に且つ前記分流抵抗と並列に接続され、電話のオフフック状態を検知して当該オフフック検知状態を光電変換して光信号として送信する発光ダイオードと外部機器に接続され当該発光ダイオードからの光信号を受信し光電変換したオフフック検知信号を当該外部機器に伝達するフォトトランジスタ１２4とを有するオフフック検知手段１２とを備えるオフフック検出回路１０であって、前記分圧抵抗は、前記閉ループ電流が流れることによって電話回線網端子と電話端子との間に発生する電圧により前記分圧抵抗及び前記分流抵抗を通じて流れることによって発生する電圧を分圧し、該分圧分、前記発光ダイオードに印加される電圧を低減し、前記分流抵抗が、前記分圧抵抗によって分圧された電圧により流れる電流を分流し、該分流分、前記発光ダイオードに流れる電流を低減する。
【００１７】
請求項１に記載の発明によれば、電話ＴＥＬがオフフックされた際に電話回線網端子Ｌ1，Ｌ2と電話端子Ｔ1，Ｔ2を通じて形成される閉ループに流れる閉ループ電流に重畳された過大なノイズ電圧が発光ダイオード１２2にが印加されて発光ダイオード１２2が破壊されることを回避するためにノイズ電圧とこれに基づくノイズ電流を高い応答速度でバイパスするツェナーダイオード１４2を設けていると共に、互いに直列に接続された上で、ノイズ吸収手段と並列に分圧抵抗Ｒ２及び分流抵抗Ｒ1を接続し、分圧抵抗と直列に且つ分流抵抗と並列に、電話のオフフック状態を検知して当該オフフック検知状態を光電変換して光信号として送信する発光ダイオードを接続し、当該発光ダイオードからの光信号を受信し光電変換したオフフック検知信号を当該外部機器に伝達するフォトトランジスタ１２4を外部機器に接続し、分圧抵抗は、閉ループ電流が流れることによって電話回線網端子と電話端子との間に発生する電圧により分圧抵抗及び分流抵抗を通じて流れることによって発生する電圧を分圧し、該分圧分、発光ダイオードに印加される電圧を低減し、分流抵抗が、分圧抵抗によって分圧された電圧により流れる電流を分流し、該分流分、発光ダイオードに流れる電流を低減しているので、電話回線網に混入してきたノイズ電流をバイパスしノイズ電流がオフフック検知手段１２の発光ダイオード１２2に伝達されて発光ダイオード１２2が破壊されることを回避する分流抵抗Ｒ1の抵抗値や、発光ダイオード１２2に過大なノイズ電圧が印加されて発光ダイオード１２2が破壊されることを回避するためにノイズ電圧を分圧する分圧抵抗Ｒ2の抵抗値の低減化を高い応答速度と両立させて図ることができるようになると共に、電話回線網に混入してきたノイズ電流をバイパスしノイズ電流がオフフック検知手段１２の発光ダイオード１２2に伝達されて発光ダイオード１２2が破壊されることを回避する分流抵抗Ｒ1の抵抗値の低減化を図ることができるようになる。また、多連接続を行おうとした場合であっても、電話回線網端子Ｌ1，Ｌ2と電話端子Ｔ1，Ｔ2との間のループ抵抗値の低減化を図ることができるようになり、その結果、ＮＴＴの規格による制限範囲内であっても、従来よりも多くの台数の自動通報装置２０を多連接続できるようになる。
【００３６】
請求項２に記載の発明は、電話回線網端子Ｌ1，Ｌ2と電話端子Ｔ1，Ｔ2との間に介装され設置先の電話ＴＥＬが使用されていないオンフック状態を検知し当該オンフック状態を検出していない時に電話回線網に接続されている管理センタにアクセスすると共に、当該管理センタとデータの送受信を行う自動通報装置２０であって、請求項１記載のオフフック検出回路１０を内蔵し、前記オフフック検出回路がオフフック検知信号を出力していないことに応じて前記管理センタとデータの送受信を行うように構成されている。
【００３７】
請求項２に記載の発明によれば、請求項１記載の発明の効果に加えて、電話回線網端子Ｌ1，Ｌ2と電話端子Ｔ1，Ｔ2との間に介装され設置先の電話ＴＥＬが使用されているオフフック状態をオフフック検出回路１０がを用いて検知し、オフフック検出回路１０における発光ダイオード１２2を用いて電話ＴＥＬがオフフックされた際に電話回線網端子Ｌ1，Ｌ2と電話端子Ｔ1，Ｔ2とが閉ループを形成するように接続され、更に、閉ループに流れた閉ループ電流を光電変換して光信号としてフォトトランジスタ１２4に送信し、オフフック状態を検出していない時に電話回線網に接続されている管理センタにアクセスして管理センタとデータの送受信を行うする自動通報装置２０を、ＮＴＴの規格による制限範囲内であっても従来よりも多くの台数多連接続できるようになる。
【００４４】
【発明の実施の形態】
（第１実施形態）
図１は本発明のオフフック検出回路１０の一実施形態を説明するための回路図である。
【００４５】
電話回線網端子Ｌ1，Ｌ2と電話端子Ｔ1，Ｔ2との間に介装され、設置先（ユーザ）の電話ＴＥＬが使用されていないオンフック状態を検知し、オンフック時に電話回線網に接続されているガス管理センタ（図示せず）にアクセスすると同時に、ガスの使用状況を検知してその検知データをガス管理センタに電話回線網を介して報告し、また、ガス漏れ等の以上を検知するためのセキュリティガス管理データを収集してガス管理センタに電話回線網を介して報告する機能を備えた自動通報装置２０に内蔵される図１に示すオフフック検出回路１０は、設置先の電話ＴＥＬが使用されていないオンフック状態を検知する機能を有し、オフフック検知手段１２、ノイズ吸収手段１４を中心にして構成されている。
【００４６】
図１に示すオフフック検知手段１２は、発光ダイオード１２2とフォトトランジスタ１２4とを組み合わせて構成することが可能であって、具体的には、フォトカップラＰＣを用いて実現することが望ましい。
【００４７】
フォトカップラＰＣにおける発光ダイオード１２2は、電話回線網端子Ｌ1，Ｌ2と電話端子Ｔ1，Ｔ2との間に介装され、電話ＴＥＬのオフフック状態を検知してオフフック検知状態を光電変換して光信号として送信する機能を有している。
【００４８】
発光ダイオード１２2は、具体的には、電話ＴＥＬがオフフックされた際に電話回線網端子Ｌ1，Ｌ2と電話端子Ｔ1，Ｔ2とが閉ループを形成するように接続され、閉ループに流れた閉ループ電流Ｉを光電変換して光信号としてフォトトランジスタ１２4に送信するように接続されている。
【００４９】
このような発光ダイオード１２2によれば、オフフック検出回路１０における発光ダイオード１２2を用いて電話ＴＥＬがオフフックされた際に電話回線網端子Ｌ1，Ｌ2と電話端子Ｔ1，Ｔ2とが閉ループを形成するように接続され、更に、閉ループに流れた閉ループ電流Ｉを光電変換して光信号としてフォトトランジスタ１２4に送信するように接続されているので、多連接続を行おうとした場合であっても、電話回線網端子Ｌ1，Ｌ2と電話端子Ｔ1，Ｔ2との間のループ抵抗値の低減化を図ることができるようになり、その結果、ＮＴＴの規格による制限範囲内であっても、従来よりも多くの台数の自動通報装置２０を多連接続できるようになるといった効果を奏する。
【００５０】
フォトトランジスタ１２4は、自動通報装置２０に接続され、発光ダイオード１２2からの光信号を受信し光電変換したオフフック検知信号１２ａを自動通報装置２０に伝達する機能を有している。
【００５１】
図１に示すノイズ吸収手段１４は、電話回線網端子Ｌ1，Ｌ2と電話端子Ｔ1，Ｔ2との間に介装され、分流抵抗Ｒ1、ツェナーダイオード１４2、分圧抵抗Ｒ2を中心にして構成されている。
【００５２】
図１に示す分流抵抗Ｒ1は、電話回線網に混入してきたノイズ電流（特に、サージ電流）を電話端子Ｔ1，Ｔ2側にバイパスし、ノイズ電流が発光ダイオード１２2に伝達されて発光ダイオード１２2が破壊されることを回避する機能を有し、発光ダイオード１２2と並列に設けられている。
【００５３】
図１に示すツェナーダイオード１４2は、発光ダイオード１２2と並列に設けられ、発光ダイオード１２2に素子を劣化させたり破壊させてしまうような過大なノイズ電圧（特に、サージ電圧）が印加されて発光ダイオード１２2が破壊されることを回避するためにノイズ電圧をバイパスする機能を有している。
【００５４】
なお、ツェナーダイオード１４2に代えて、発光ダイオード１２2と並列に設けられ、発光ダイオード１２2に素子を劣化させたり破壊させてしまうような過大なノイズ電圧が印加されて発光ダイオード１２2が破壊されることを回避するためにノイズ電圧をバイパスするバリスタ１４4を用いることもできる。この場合、電話回線網に混入してきたノイズ電流を電話端子Ｔ1，Ｔ2側にバイパスし、ノイズ電流がオフフック検知手段１２の発光ダイオード１２2に伝達されて発光ダイオード１２2が破壊されることを回避する分流抵抗Ｒ1の抵抗値や、発光ダイオード１２2に素子を劣化させたり破壊させてしまうような過大なノイズ電圧が印加されて発光ダイオード１２2が破壊されることを回避するためにノイズ電圧を分圧して発光ダイオード１２2に印加される電圧分を軽減する分圧抵抗Ｒ2の抵抗値の低減化を図ることが低コストでできるようになる。すなわち、多連接続を行おうとした場合であっても、電話回線網端子Ｌ1，Ｌ2と電話端子Ｔ1，Ｔ2との間のループ抵抗値の低減化を図ることが低コストでできるようになり、その結果、ＮＴＴの規格による制限範囲内であっても、従来よりも多くの台数の自動通報装置２０を多連接続できるようになるといった効果を奏する。
【００５５】
このようなツェナーダイオード１４2を設けることにより、発光ダイオード１２2のノイズ電流耐性のマージンを大きく設定すると同時に、ノイズ電流許容マージンの増大（ノイズ電流耐性の増大）に応じて分流抵抗Ｒ1の抵抗値を小さく設定し、更に加えて、発光ダイオード１２2に素子を劣化させたり破壊させてしまうような過大なノイズ電圧が印加されて発光ダイオード１２2が破壊されることを回避するためにノイズ電圧を高い応答速度でバイパスするツェナーダイオード１４2を設けているので、電話回線網に混入してきたノイズ電流を電話端子Ｔ1，Ｔ2側にバイパスし、ノイズ電流がオフフック検知手段１２の発光ダイオード１２2に伝達されて発光ダイオード１２2が破壊されることを回避する分流抵抗Ｒ1の抵抗値や、発光ダイオード１２2に素子を劣化させたり破壊させてしまうような過大なノイズ電圧が印加されて発光ダイオード１２2が破壊されることを回避するためにノイズ電圧を分圧して発光ダイオード１２2に印加される電圧分を軽減する分圧抵抗Ｒ2の抵抗値の低減化を高い応答速度と両立させて図ることができるようになる。すなわち、多連接続を行おうとした場合であっても、電話回線網端子Ｌ1，Ｌ2と電話端子Ｔ1，Ｔ2との間のループ抵抗値の低減化を高い応答速度と両立させて図ることができるようになり、その結果、ＮＴＴの規格による制限範囲内であっても、従来よりも多くの台数の自動通報装置２０を多連接続できるようになるといった効果を奏する。
【００５６】
図１に示す分圧抵抗Ｒ2は、発光ダイオード１２2と直列に設けられ、発光ダイオード１２2に素子を劣化させたり破壊させてしまうような過大なノイズ電圧が印加されて発光ダイオード１２2が破壊されることを回避するためにノイズ電圧を分圧して発光ダイオード１２2に印加される電圧分を軽減する機能を有している。
【００５７】
このような分圧抵抗Ｒ2を設けることにより、発光ダイオード１２2のノイズ電流耐性のマージンを大きく設定すると同時に、ノイズ電流許容マージンの増大（ノイズ電流耐性の増大）に応じて分流抵抗Ｒ1の抵抗値を小さく設定し、更に加えて、発光ダイオード１２2に素子を劣化させたり破壊させてしまうような過大なノイズ電圧が印加されて発光ダイオード１２2が破壊されることを回避するために当ノイズ電圧を分圧して発光ダイオード１２2に印加される電圧分を軽減する分圧抵抗Ｒ2を発光ダイオード１２2と直列に設けているので、電話回線網に混入してきたノイズ電流を電話端子Ｔ1，Ｔ2側にバイパスし、ノイズ電流がオフフック検知手段１２の発光ダイオード１２2に伝達されて発光ダイオード１２2が破壊されることを回避する分流抵抗Ｒ1の抵抗値の低減化を図ることができるようになる。すなわち、多連接続を行おうとした場合であっても、電話回線網端子Ｌ1，Ｌ2と電話端子Ｔ1，Ｔ2との間のループ抵抗値の低減化を図ることができるようになり、その結果、ＮＴＴの規格による制限範囲内であっても、従来よりも多くの台数の自動通報装置２０を多連接続できるようになるといった効果を奏する。
【００５８】
このような回路構成において、発光ダイオード１２2のノイズ電流耐性のマージンを大きく設定すると同時に、ノイズ電流許容マージンの増大（ノイズ電流耐性の増大）に応じて分流抵抗Ｒ1の抵抗値を小さく設定するような設定がオフフック検出回路１０に対して行われている点に特徴を有している。
【００５９】
更に、このような回路構成のオフフック検出回路１０は、電話回線網端子Ｌ1，Ｌ2に対して多連接続が可能であると同時に、各々個別の電話ＴＥＬに接続可能である。
【００６０】
以上説明したように、本実施形態によれば、発光ダイオード１２2のノイズ電流耐性のマージンを大きく設定すると同時に、ノイズ電流許容マージンの増大（ノイズ電流耐性の増大）に応じて分流抵抗Ｒ1の抵抗値を小さく設定しているので、電話回線網に混入してきたノイズ電流を電話端子Ｔ1，Ｔ2側にバイパスし、ノイズ電流がオフフック検知手段１２の発光ダイオード１２2に伝達されて発光ダイオード１２2が破壊されることを回避する分流抵抗Ｒ1の抵抗値や、発光ダイオード１２2に素子を劣化させたり破壊させてしまうような過大なノイズ電圧が印加されて発光ダイオード１２2が破壊されることを回避するためにノイズ電圧を分圧して発光ダイオード１２2に印加される電圧分を軽減する分圧抵抗Ｒ2の抵抗値の低減化を図ることができるようになる。すなわち、多連接続を行おうとした場合であっても、電話回線網端子Ｌ1，Ｌ2と電話端子Ｔ1，Ｔ2との間のループ抵抗値の低減化を図ることができるようになり、その結果、ＮＴＴの規格による制限範囲内であっても、従来よりも多くの台数の自動通報装置２０を多連接続できるようになるといった効果を奏する。
【００６１】
自動通報装置２０は、電話回線網端子Ｌ1，Ｌ2と電話端子Ｔ1，Ｔ2との間に介装され、設置先（ユーザ）の電話ＴＥＬが使用されていないオンフック状態を検知し、オンフック時に電話回線網に接続されているガス管理センタ（図示せず）にアクセスすると同時に、ガスの使用状況を検知してその検知データをガス管理センタに電話回線網を介して報告し、また、ガス漏れ等の異常を検知するためのセキュリティガス管理データを収集してガス管理センタに電話回線網を介して報告する機能を備えている。
【００６２】
自動通報装置２０は、電話回線網端子Ｌ1，Ｌ2と電話端子Ｔ1，Ｔ2との間に介装され、設置先の電話ＴＥＬが使用されていないオンフック状態を検知し、オンフック時に電話回線網に接続されているガス管理センタにアクセスすると同時に、ガス管理センタとガスの使用状況を知らせるための使用ガス積算データやガス漏れ等の異常を検知するためのセキュリティガス管理データ等の各種データを電話回線網を介してノーリンギング通信する機能を有し、前述のオフフック検出回路１０を内蔵している。
【００６３】
また自動通報装置２０は、オフフック検出回路１０が出力したオフフック検知信号１２ａに応じてガス管理センタと使用ガス積算データやセキュリティガス管理データ等の各種データのノーリンギング通信を行う機能を有し、ＮＣＵ、マイクロコンピュータ等をを中心にして構成されている。
【００６４】
このような機能を設けることにより、電話回線網端子Ｌ1，Ｌ2と電話端子Ｔ1，Ｔ2との間に介装され、設置先の電話ＴＥＬが使用されていないオンフック状態をオフフック検出回路１０を用いて検知し、オフフック検出回路１０における発光ダイオード１２2を用いて電話ＴＥＬがオフフックされた際に電話回線網端子Ｌ1，Ｌ2と電話端子Ｔ1，Ｔ2とが閉ループを形成するように接続され、更に、閉ループに流れた閉ループ電流Ｉを光電変換して光信号としてフォトトランジスタ１２4に送信し、オンフック時に電話回線網に接続されているガス管理センタにアクセスしてガス管理センタと使用ガス積算データやセキュリティガス管理データ等の各種データのノーリンギング通信を行うことができるようになるといった効果を奏する。
【００６５】
【発明の効果】
請求項１に記載の発明によれば、電話回線網に混入してきたノイズ電流をバイパスしノイズ電流がオフフック検知手段の発光ダイオードに伝達されて発光ダイオードが破壊されることを回避する分流抵抗の抵抗値や、発光ダイオードに過大なノイズ電圧が印加されて発光ダイオードが破壊されることを回避するためにノイズ電圧を分圧する分圧抵抗の抵抗値の低減化を高い応答速度と両立させて図ることができるようになると共に、電話回線網に混入してきたノイズ電流をバイパスしノイズ電流がオフフック検知手段の発光ダイオードに伝達されて発光ダイオードが破壊されることを回避する分流抵抗の抵抗値の低減化を図ることができるようになる。すなわち、多連接続を行おうとした場合であっても、電話回線網端子と電話端子との間のループ抵抗値の低減化を図ることができるようになり、その結果、ＮＴＴの規格による制限範囲内であっても、従来よりも多くの台数の自動通報装置を多連接続できるようになる。
【００６６】
請求項２に記載の発明によれば、オフフック検出回路における発光ダイオードを用いて電話がオフフックされた際に電話回線網端子と電話端子とが閉ループを形成するように接続され、更に、閉ループに流れた閉ループ電流を光電変換して光信号としてフォトトランジスタに送信し、オンフック時に電話回線網に接続されている管理センタにアクセスして管理センタとデータの送受信を行うする自動通報装置を、ＮＴＴの規格による制限範囲内であっても従来よりも多くの台数多連接続できるようになる。
【図面の簡単な説明】
【図１】  本発明のオフフック検出回路の一実施形態を説明するための回路図である。
【図２】  従来のオフフック検出回路を説明するための回路図である。
【符号の説明】
１０…オフフック検出回路`
１２…オフフック検知手段（フォトカップラＰＣ）
１２ａ…オフフック検知信号
１２2…発光ダイオード
１２4…フォトトランジスタ
１４…ノイズ吸収手段
１４2…ツェナーダイオード
１４4…バリスタ
２０…自動通報装置
Ｌ1，Ｌ2…電話回線網端子
Ｒ1…分流抵抗
Ｒ2…分圧抵抗
Ｔ1，Ｔ2…電話端子
ＴＥＬ…電話
【図１】
0003755783.tif 000002
【図２】
0003755783.tif 000003